(57)【要約】【課題】ヒーターの過熱を防止する構造を備えた洗濯機を提供する。【解決手段】洗濯水が収容される水槽と、前記水槽内に設けられる回転槽と、前記水槽内の水を加熱するヒーターと、前記水槽中の水を前記回転槽に供給する循環装置と、を備えるものの、前記ヒーターの設置高さと等しいか高い位置に形成され、前記循環装置に水を流入させる循環穴を備えることによって、循環装置を稼動する場合にも水位がヒーターの設置高さよりも低い位置に下がるのを防止し、ヒーターの過熱を防止する。【選択図】図１
2008237905.tif 000002
【特許請求の範囲】
【請求項１】
洗濯物を洗濯する洗濯機において、
水槽と、
前記水槽内に回転可能に設けられ、洗濯物を収容する回転槽と、
前記水槽に取り付けられ、前記水槽内の水を加熱するヒーターと、
前記水槽の水を前記回転槽に供給する循環装置と、を備え、
前記水槽には、前記ヒーターの設置高さと等しいか高い位置に形成され、前記循環装置に水を流入させる循環穴が設けられたことを特徴とする洗濯機。
【請求項２】
前記循環穴は、前記回転槽の下面の高さよりも低い位置に形成されることを特徴とする、請求項１に記載の洗濯機。
【請求項３】
前記循環穴は、前記水槽の前面部に形成されることを特徴とする、請求項１に記載の洗濯機。
【請求項４】
前記循環装置は、前記水槽の外面に設けられた循環ポンプと、前記循環ポンプと回転槽との間に設けられた循環管と、を含むことを特徴とする、請求項１に記載の洗濯機。
【請求項５】
前記水槽の水を排水させる排水装置をさらに備え、
前記水槽の下部には、前記排水装置に水を流出させるように排水穴が形成されたことを特徴とする、請求項１に記載の洗濯機。
【請求項６】
前記循環装置と前記排水装置を動作させる単一の駆動ポンプと、
前記単一の駆動ポンプの出口側に配置され、水の流路を可変させる流路切換弁と、
をさらに備えることを特徴とする、請求項５に記載の洗濯機。
【請求項７】
前記水槽は、下部に凹入形成されて前記ヒーターが装着されるヒーター収容部を含むことを特徴とする、請求項５に記載の洗濯機。
【請求項８】
洗濯物を洗濯する洗濯機において、
水槽と、
前記水槽内に回転可能に設けられ、洗濯物を収容する回転槽と、
前記水槽内に取り付けられ、前記水槽の水を加熱するヒーターと、
前記水槽の水を前記回転槽に供給する循環装置と、
前記水槽の水を排水させる排水装置と、を備え、
前記水槽は、前記排水装置に水を排出するための排水穴と、前記循環装置に水を排出するための循環穴とを備え、前記循環穴は、前記ヒーターの設置高さよりも所定高さ高い位置に形成されたことを特徴とする、洗濯機。
【請求項９】
前記水槽は、下部に凹入形成されて前記ヒーターが装着されるヒーター装着部を含むことを特徴とする、請求項８に記載の洗濯機。
【請求項１０】
前記循環穴は、前記回転槽の下面高さよりも低い位置に形成されることを特徴とする、請求項８に記載の洗濯機。
【請求項１１】
前記循環穴の下端の高さは、前記ヒーターの上端の高さと実質的に同じであることを特徴とする、請求項８に記載の洗濯機。
【請求項１２】
前記循環穴は、前記水槽の円筒部に形成されることを特徴とする、請求項１に記載の洗濯機。
【請求項１３】
前記循環穴の下端の高さは、前記ヒーターの上端の高さと実質的に同じであることを特徴とする、請求項１に記載の洗濯機。
【請求項１４】
前記排水穴は、前記ヒーター収容部に形成されることを特徴とする、請求項７に記載の洗濯機。
【請求項１５】
前記排水穴は、前記ヒーター収容部に形成されることを特徴とする、請求項９に記載の洗濯機。
【発明の詳細な説明】
【技術分野】
【０００１】
本発明は、洗濯機に係り、特に、洗濯水を循環させる循環装置及び洗濯水を加熱するヒーターを備えた洗濯機に関する。
【背景技術】
【０００２】
一般に、洗濯機は、ケースの内部に上下方向に沿って配置された回転軸を中心に運動する洗濯槽及びパルセーターを備えた、いわゆるパルセータータイプ洗濯機と、ケースの内部に略水平方向に沿って配置された回転軸を中心に回転する洗濯槽を備えた、いわゆるドラム洗濯機とに大別される。
【０００３】
このようなドラム洗濯機の一例が、大韓民国公開特許公報第１０−２００７−２３１４６号（特許文献１）に開示されている。
【０００４】
この特許文献１に開示された洗濯機は、一側が開口された筒状のケースと、ケースの内部に洗濯水を収容できるように設けられるタブと、タブの内部に水平方向に沿って配置された回転軸を中心に回転可能に設置されるドラムと、タブの内側下部に、タブ内に収容された洗濯水を加熱するように配置される電気ヒーターと、を備えている。
【０００５】
タブの下側には排水管及び排水ポンプがそれぞれ設けられ、排水管の一側には、タブ中の洗濯水を循環させうるように循環流路の一側が相互連通するように連結されており、循環流路の他端は上方に延在してタブの上部領域と相互連通するように連結されている。循環流路の中には洗濯水を循環させるための循環ポンプが備えられている。
【０００６】
このような洗濯機は、給水が完了すると水位センサーで水位を感知し、水位がヒーター安全水位以上であるとヒーターを動作させて水を加熱する。
【０００７】
上記特許文献１に開示された従来の洗濯機は、タブの下側に排水管が連結され、排水管の一側に相互連通するように循環流路が連結されているので、循環ポンプを駆動する場合、水槽の水が循環流路を通って回転ドラム内に供給されるが、この時、水槽と排水管との連結部が、水槽内に設置された電気ヒーターの設置高さよりも低い位置に設けられるため、水槽内の水位が電気ヒーターの設置高さよりも低くなる場合が発生してしまう。こうなると、電気ヒーターは空気と接触して過熱され、電気ヒーターの破損及び火災の発生につながるという恐れがある。
【０００８】
特に、水位センサーの故障などによってヒーター安全水位以下であるにもかかわらずに電気ヒーターが稼動される場合、循環ポンプの駆動によって水槽内の水は循環ポンプに流入するので、正常水位時に循環ポンプを駆動する場合におけるよりも水位がより低くなり、結果として電気ヒーターの過熱による電気ヒーターの破損及び火災の危険性が増加するという問題点があった。
【特許文献１】大韓民国公開特許公報第１０−２００７−２３１４６号
【発明の開示】
【発明が解決しようとする課題】
【０００９】
本発明は上記の従来における問題点を解決するためのもので、その目的は、ヒーターの過熱を防止する構造を備えた洗濯機を提供することにある。
【課題を解決するための手段】
【００１０】
上記の目的を達成するために、本発明は、洗濯物を洗濯する洗濯機において、水槽と、前記水槽内に回転可能に設けられ、洗濯物を収容する回転槽と、前記水槽に取り付けられ、前記水槽内の水を加熱するヒーターと、前記水槽の水を前記回転槽に供給する循環装置と、を備え、前記水槽には、前記ヒーターの設置高さと等しいか高い位置に形成され、前記循環装置に水を流入させる循環穴が設けられたことを特徴とする。
【００１１】
前記循環穴は、前記回転槽の下面の高さよりも低い位置に形成されることができる。
【００１２】
前記循環穴は、前記水槽の前面部または円筒部に形成されることができる。
【００１３】
前記循環装置は、前記水槽の外面に設けられた循環ポンプと、前記循環ポンプと回転槽との間に設けられた循環管と、を含むことができる。
【００１４】
上記洗濯機は、前記水槽の水を排水させる排水装置をさらに備えることができ、前記水槽の下部には、前記排水装置に水を流出させるように排水穴が形成される。
【００１５】
上記洗濯機は、前記循環装置と前記排水装置を動作させるための単一の駆動ポンプと、
前記単一の駆動ポンプの出口側に配置され、水の流路を可変させる流路切換弁と、をさらに備えることができる。
【００１６】
前記水槽は、下部に凹入形成されて前記ヒーターが装着されるヒーター収容部を含み、このヒーター収容部には排水穴が形成されることができる。
【００１７】
上記の目的を達成するために、本発明は、洗濯物を洗濯する洗濯機において、水槽と、前記水槽内に回転可能に設けられ、洗濯物を収容する回転槽と、前記水槽内に取り付けられ、前記水槽の水を加熱するヒーターと、前記水槽の水を前記回転槽に供給する循環装置と、前記水槽の水を排水させる排水装置と、を備え、前記水槽は、前記排水装置に水を排出するための排水穴と、前記循環装置に水を排出するための循環穴とを備え、前記循環穴は、前記ヒーターの設置高さよりも所定高さ高い位置に形成されたことを特徴とする。
【００１８】
前記水槽は、下部に凹入形成されて前記ヒーターが装着されるヒーター収容部を含み、このヒーター収容部には排水穴が形成されることができる。
【００１９】
前記循環穴は、前記回転槽の下面高さよりも低い位置に形成されることができる。
【００２０】
前記循環穴の下端の高さは、前記ヒーターの上端の高さと実質的に同じでありうる。
【発明の効果】
【００２１】
本発明の一実施例による洗濯機は、水槽の下部に設けられた排水穴とは別に、ヒーターの設置高さよりも高い位置に循環穴を設けたため、循環装置を稼動する場合にも水位がヒーター設置高さより低い位置に下がるのが防止され、ヒーターの過熱を防止することができ、かつ、排水または脱水行程時には、水槽の水が排水穴を通って外部に排出されるので、水槽内に水が残留するのを防止することができる。
【００２２】
なお、水位感知部の故障などによって水位が正確に感知されず、低い水位であるにも拘わらずヒーター及び循環ポンプが稼動される場合、ヒーターの発熱部よりも高い水位の水のみが循環穴に流入するため、ヒーターの過熱を防止することができる。
【００２３】
なお、循環穴が従来技術における循環穴に比べて上側に位置するため、対流により上昇した高温の水を回転槽内に供給することができる。
【発明を実施するための最良の形態】
【００２４】
以下、本発明の好適な実施例を、添付の図面を参照しつつ詳細に説明する。
【００２５】
図１は、本発明の一実施例による洗濯機の断面図である。
【００２６】
本発明の一実施例による洗濯機は、図１に示すように、外観を形成するキャビネット１０と、キャビネット１０の内部に設けられ、洗濯水が収容されるドラム型の水槽２０と、水槽２０の内部に回転可能に設置される回転槽３０と、水槽２０の内部に洗剤及び洗濯水を供給する給水装置４０と、水槽２０内の洗濯水を外部に排水する排水装置５０と、水槽２０内の洗濯水を回転槽３０の内部に供給する循環装置６０と、を備えている。
【００２７】
キャビネット１０は、略ボックス形状を有し、キャビネット１０の前面には、衣類のような洗濯物を回転槽３０に投入したり、回転槽３０から取り出したりすることができるように入口部１１が形成され、入口部１１の一側には、入口部１１を開閉するようにドア１２がヒンジ結合される。
【００２８】
キャビネット１０内の水槽２０は、中央に入口２１ａが形成された前面部２１と、後述する駆動モーター１３が設置される後面部２２と、前面部２１と後面部２２とを連結する円筒部２３と、を備えている。
【００２９】
前面部２１には、キャビネット１０の入口部１１と水槽２０の入口２１ａとの間に設けられ、洗濯水の漏れを防止するダイアフラム２４と、ダイアフラム２４の内側に設けられ、衣類のような洗濯物が容易に投入及び取り出しされるようにガイドする案内部材２５が設置される。
【００３０】
また、ダイアフラム２４には、給水装置４０から流入する洗濯水を水槽２０内に供給するための供給穴２４ａが形成される。
【００３１】
また、円筒部２３の下部内側には、衣類のような洗濯物がより效果的に洗濯されるように洗濯水を加熱するヒーター２６が設置されるが、ヒーター２６が水槽２０または回転槽３０と接するのを防止して洗濯水を效果的に加熱するように、水槽２０には下側に傾斜して凹入形成されたヒーター収容部２３ａが設けられ、このヒーター収容部２３ａにヒーター２６が固着される。
【００３２】
ヒーター２６には、電源の印加によって洗濯水の加熱のための熱を発生させる発熱部２６ａが設けられ、発熱部２６ａは複数の折曲を有する形で形成され、一定空間で最大の発熱効果を納めるように構成される。
【００３３】
水槽２０の後側には、回転槽３０と連結された回転軸１４を回転させる駆動装置として駆動モーター１３が設置される。この駆動モーター１３は、水槽２０の後面に固定される固定子１３ａと、この固定子１３ａの外周部に回転可能に配置される回転子１３ｂと、回転子１３ｂと回転軸１４とを連結する回転板１３ｃとで構成される。
【００３４】
水槽２０の内部に設置される回転槽３０は、中央に入口３１ａが形成された前面部３１と、駆動モーター１３と連結される後面部３２と、前面部３１と後面部３２とを連結する円筒部３３と、を備えている。
【００３５】
回転槽３０の円筒部３３の内周面には、回転槽３０が回転する時に内部の洗濯物をかき上げてから落下させる複数のリフター３３ａが設けられ、また、洗濯水の出入が可能なように複数の通穴３３ｂが形成される。したがって、回転槽３０が高速で回転する場合、遠心力により洗濯水が通穴３３ｂを通って回転槽３０の外部に排出される。
【００３６】
キャビネット１０内部の水槽２０の上部には、給水装置４０が設けられる。給水装置４０は、キャビネット１０内に流入する洗濯水の給水を制御する給水弁４１と、洗剤を収容する洗剤供給ユニット４２と、給水弁４１と洗剤供給ユニット４２とを連結する第１給水管４３と、洗剤供給ユニット４２を通りながら洗剤が溶解された洗濯水を水槽２０内に供給するための第２給水管４４と、を備えている。したがって、水槽２０の内部に供給される洗濯水は、洗剤供給ユニット４２を通りながら洗剤供給ユニット４２内に収容されている洗剤が溶解された状態で水槽２０に供給される。
【００３７】
また、排水装置５０は、水槽２０内の洗濯水をキャビネット１０の外部に排水させるために水槽２０の下方に設けられるもので、水槽２０中の水を外部に導くように、水槽２０下側のヒーター収容部２３ａに形成された排水穴２３ｂに連結される第１排水管５１と、この第１排水管５１に設置される排水ポンプ５２と、排水ポンプ５２の出口側に連結される第２排水管５３とを備える。この排水ポンプ５２は、自然排水が可能な排水構造では排水弁に取り替えられても良い。
【００３８】
ここで、排水穴２３ｂは、ヒーター収容部２３ａの底面に形成されるから、排水時に水槽２０内に洗濯水が残留するのを防止し、凍結期の残水による凍結、長時間の残水による悪臭及び細菌増殖などを防ぐことができる。
【００３９】
また、本発明の一実施例による洗濯機は、洗濯水の使用量を節減し、洗濯性能の向上のために、水槽２０中の洗濯水を回転槽３０内に供給する循環装置６０を備える。この循環装置６０は、水槽２０の前面部２１に形成された循環穴２１ｂに連結される第１循環管６１と、第１循環管６１に連結され、水槽２０中の洗濯水をポンピングして回転槽３０内に流入させる循環ポンプ６２と、循環ポンプ６２から回転槽３０の入口３１ａ側に延びる第２循環管６３と、第２循環管６３の出口に設けられる噴射ノズル６４とを備える。
【００４０】
循環穴２１ｂは、水槽２０の前面部２１の下部においてヒーター２６の設置面よりも所定高さ高い位置に設けられることができる。好ましくは、循環穴２１ｂは、ヒーター２６の設置面と等しいか高く且つ回転槽３０の下面３４よりは低い所定高さの位置に設けられ、循環穴２１ｂの下端がヒーター２６の上端と実質的に同じ高さとなるようにすることができる。
【００４１】
図２Ａ及び図２Ｂは、本発明の一実施例による洗濯機の循環ポンプの動作方法を示す部分断面図である。
【００４２】
ヒーター２６が動作している状態で循環ポンプ６２が動作すると、図２Ａに示すように、水槽２０の水が循環装置６０を通って回転槽３０に流入する。しかし、この場合、循環ポンプ６２の駆動によって水槽２０に給水された水の高さが低くなり、この水位がヒーター２６の設置高さｈ１よりも低くなると、ヒーター２６の発熱部２６ａは空気と接触して高温に過熱され、ヒーターの故障及び火災につながる危険性がある。
【００４３】
したがって、本発明では、循環穴２１ｂの設置高さｈ２をヒーター２６の設置高さｈ１と等しいか高くすることによって、図２Ｂに示すように、循環ポンプ６２の動作有無にかかわらずにヒーター２６の発熱部２６ａは常に水に浸されるようにし、ヒーター２６が空気と接するのを根本的に防止することができる。
【００４４】
また、循環穴２１ｂの下端をヒーター２６の上端と実質的に同一高さにすることができ、よって、循環装置６０による洗濯水の循環が円滑になる。
【００４５】
また、循環ポンプ６２は、水槽２０中の洗濯水を回転槽３０に流入させるためのポンピング力を提供するもので、水槽３０の前面部３１の方に設けられる。この位置に循環ポンプ６２を設置することによって、第１及び２循環管６１，６３の長さを最小化でき、よって、第１及び２循環管６１，６３中の残水を減らし、洗濯水の使用量を節減することができる。
【００４６】
また、第２循環管６３は、一側が循環ポンプ６２に連結され、他側は水槽２０のダイアフラム２４を通過する。この他側の端部には、回転槽３０内に洗濯水が吹き付けられるように噴射ノズル６４が設けられる。ここで、噴射ノズル６４は、回転槽３０の入口３１ａに隣接する案内部材２５に設けられる。
【００４７】
好ましくは、第２循環管６３は、円形ダイアフラム２４の上側部のいずれか一箇所を通過して回転槽３０の入口３１ａに配設され、洗濯水が衣類のような洗濯物に均一に噴射されるようにする。
【００４８】
このように構成された本発明の一実施例による洗濯機は、排水穴２３ｂと循環穴２１ｂを別に設け、すなわち、排水穴２３ｂを水槽２０下面のヒーター収容部２３ａに形成し、循環穴２１ｂをヒーター２６の設置位置よりも所定高さ高い位置に形成することによって、循環ポンプ６２の駆動に際しては、水槽２０の水位がヒーター２６の発熱部２６ａの高さよりも低くなるのを防止できると同時に、排水に際しては排水穴２３ｂから排水がなされるようにし、水槽２０中に水が残留するのを防止することができる。
【００４９】
図３は、本発明の一実施例による洗濯機の制御構成図で、ここでは、図１に示す装置に加えて、信号入力部７１、水位感知部７２、温度感知部７３、制御部７４及び駆動部７５が含まれる。
【００５０】
信号入力部７１は、使用者が選択する洗濯コースと洗濯温度、脱水ＲＰＭ、すずき追加などの運転情報を制御部７４に入力し、水位感知部７２は、水槽２０に給水された水の高さを感知し、温度感知部７３は、水槽２０に給水された水の温度を感知する。
【００５１】
制御部７４は、信号入力部７１から入力された運転情報によって洗濯機を制御するマイコンで、水位感知部７２で感知された水位に基づいて循環ポンプ６２とヒーター２６をオン／オフにしながら、温度感知部７３で感知された温度と設定温度とを比較してヒーター２６をオン／オフにする。
【００５２】
駆動部７５は、制御部７４の駆動制御信号によって駆動モーター１３、ヒーター２６、給水弁４１、排水ポンプ５２、循環ポンプ６２などを駆動させる。
【００５３】
次に、本発明の一実施例による洗濯機の動作について説明する。
【００５４】
まず、回転槽３０の内部に衣類のような洗濯物を入れ、洗剤供給ユニット４２に洗剤を投入した状態で使用者が洗濯物の種類によって洗濯コースと脱水ＲＰＭ、洗濯温度などの運転情報を選択すると、使用者の選択した運転情報が信号入力部７１を介して制御部７４に入力される。
【００５５】
続いて、洗濯機を動作させると、給水弁４１が開きながら水槽２０の内部に洗濯水の供給が行われる。この時には、水槽２０に供給される洗濯水が、洗剤供給ユニット４２を経由することになるので、洗剤供給ユニット４２の洗剤は給水過程で洗濯水に溶解された状態で水槽２０の内部に供給され、水位感知部７２により適正量の洗濯水が水槽２０に供給されたと感知されたら、制御部７４は、給水弁４１をオフにし、給水を終了する。
【００５６】
この時、水槽２０に給水された水に、水槽２０の下側に設けられたヒーター２６が浸され、給水動作が完了した後には、ヒーター２６の稼動によって、給水された洗濯水が設定された洗濯温度に加熱される。ヒーター２６により洗濯水が設定温度に加熱された後または加熱と同時に循環ポンプ６２が動作し、水槽２０中の加熱された洗濯水を第１及び２循環管６１，６３を通して回転槽３０の内部に供給する。この時、回転槽３０内に供給される洗濯水は噴射ノズル６４を介して洗濯物に噴射されるので、洗濯物が均一に濡れながら洗濯行程が行われる。
【００５７】
このような本発明の一実施例による洗濯機に備えられる水槽２０は、ヒーター２６の発熱部２６ａの上端と回転槽３０の円筒部３３の下面間の高さに循環穴２１ｂを形成できるので、循環ポンプ６２が動作する場合にも、水槽２０内の水位はヒーター２６の発熱部２６ａ以下の高さには下がらない。したがって、ヒーター２６が空気と直接接することから生じうるヒーター２６の過熱を防止することができる。
【００５８】
特に、水位感知部７２の故障などによって水位が正確に感知されず、低い水位にも拘わらずヒーター２６が稼働する場合があるが、この場合、循環ポンプ６２が稼動されても、ヒーター２６の発熱部２６ａより高い水位の水のみが循環穴２１ｂに流入するので、ヒーター２６の過熱が防止される。
【００５９】
また、循環穴２１ｂが従来技術における排水穴に比べて上側に位置するので、対流により上昇した高温の水を回転槽３０内に供給できるという効果がある。
【００６０】
また、洗濯行程が終了し、排水または脱水行程時には、排水ポンプ５２の稼動によって水槽２０の水が排水穴２３ｂを通って外部に排出され、水槽２０内に水が残留するのを防止できるという効果がある。
【００６１】
以下、本発明の一実施例による洗濯機の変形例について説明する。
【００６２】
図４は、本発明の一実施例による洗濯機の変形例で、水槽と循環装置とが結合された様子を示す断面図である。
【００６３】
本発明の変形実施例による洗濯機の水槽２０は、円筒部２３に循環穴２１ｃが形成され、この循環穴２１ｃは、本発明の好適な一実施例と同様に、ヒーター２６の設置高さよりは高く、回転槽３０の円筒部３３下面よりは低い高さに形成される。
【００６４】
循環穴２１ｃと連通する循環装置８０は、循環穴２１ｃから流出された水を回転槽３０に供給するための第１及び２循環管８１，８３と、第１及び第２循環管８１，８３の間に設けられ、ポンピング力を提供する循環ポンプ８２と、第２循環管８３の端部に設けられた循環ノズル８４と、を備えている。
【００６５】
このような構成によって、上記した本発明の好適な一実施例と同じ効果が得られる。
【００６６】
次に、本発明の他の実施例による洗濯機について説明する。
【００６７】
図５は、本発明の他の実施例による洗濯機を示す断面図である。
【００６８】
ここで、本発明の一実施例と同じ構成には同じ図面符号を付け、その説明は省略するものとする。
【００６９】
本発明の他の実施例による洗濯機は、水槽２０中の水を排水させる排水装置１００と、水槽２０中の水を回転槽３０の内部に供給させる循環装置１１０と、排水装置１００と循環装置１１０を作動させる駆動ポンプ１０３と、駆動ポンプ１０３の一側に設けられて流路を切り換える流路転換弁１１２と、を備える。
【００７０】
排水装置１００は、水槽２０の水を外部に導くように、水槽２０下部のヒーター収容部２３ａに形成された排水穴２３ｂに連結される第１排水管１０１と、第１排水管１０１の途中に設けられ、第１排水管１０１を開閉する排水弁１０２と、排水ポンプ１０３の出口側に連結される第２排水管１０４と、を備える。
【００７１】
循環装置１１０は、一側が、水槽２０の前面部２１に設けられた循環穴２１ｂに連結され、他側は、駆動ポンプ１０３と連結される第１循環管１１１と、一側が流路切換弁１１２と連結され、他側が回転槽３０の入口３１ａ側に延びる第２循環管１１３と、第２循環管１１３の出口に設けられる噴射ノズル１１４と、を備える。
【００７２】
駆動ポンプ１０３は、その流入側が第１循環管１１１及び第１排水管１０１と連結され、排水行程または循環行程時に駆動されるように、単一の駆動ポンプで構成される。
【００７３】
流路切換弁１１２は、駆動ポンプ１０３の出口側に設けられ、駆動ポンプ１０３によりポンピングされた水が第２循環管１１３または第２排水管１０４のいずれか一方に流れるように流路を切り換えるもので、通常の電動式３方弁で構成される。
【００７４】
このような構成で、水槽２０内の加熱された水を回転槽３０に供給するために循環装置１１０を駆動させる場合、排水弁１０２を閉じ、第１循環管１１１に流入した水が第２循環管１１３側に流れるように流路切換弁１１２を動作させた状態で駆動ポンプ１０３を動作させ、水槽２０の水が回転槽３０に循環されるようにする。
【００７５】
また、排水装置１００を駆動させて水槽２０の水を排水させる場合、排水弁１０２を開き、第２排水管１０４側に水が流れるように流路切換弁１１２を動作させた状態で駆動ポンプ１０３を動作させ、循環穴２１ｂ及び排水穴２３ｂを通って水槽２０の水が外部に排水されるようにする。
【図面の簡単な説明】
【００７６】
【図１】本発明の一実施例による洗濯機の断面図である。
【図２Ａ】本発明の一実施例による洗濯機の循環ポンプの動作方法を示す部分断面図である。
【図２Ｂ】本発明の一実施例による洗濯機の循環ポンプの動作方法を示す部分断面図である。
【図３】本発明の一実施例による洗濯機の制御ブロック図である。
【図４】本発明の変形実施例による、互いに結合された水槽と循環装置を有する洗濯機の断面図である。
【図５】本発明の他の実施例による洗濯機の断面図である。
【符号の説明】
【００７７】
１０    キャビネット
１３    駆動モーター
２０    水槽
２１    前面部
２１ｂ    循環穴
２３    円筒部
２３ａ    ヒーター収容部
２３ｂ    排水穴
２６    ヒーター
２６ａ    発熱部
３０    回転槽
４０    給水装置
４１    給水弁
５０    排水装置
５２    排水ポンプ
６０    循環装置
６１    第１循環管
６３    第２循環管
６２    循環ポンプ
７１    信号入力部
７２    水位感知部
７３    温度感知部
７４    制御部
７５    駆動部
【図１】
2008237905.tif 000003
【図２Ａ】
2008237905.tif 000004
【図２Ｂ】
2008237905.tif 000005
【図３】
2008237905.tif 000006
【図４】
2008237905.tif 000007
【図５】
2008237905.tif 000008